(57)【要約】【課題】画像出力装置を簡便に切り替えることを可能とする無線装置、表示装置及び受信制御方法の提供。【解決手段】上記の課題を解決するために、本実施形態の無線装置は、外部機器から無線送信された接続要求を受信する第１受信手段と、接続要求に対する許可応答を送信することにより、外部機器との通信接続を確立する接続手段と、通信接続が確立された時間に応じた順番で外部機器を登録する登録手段と、登録手段により登録された順番に応じて外部機器を選択する選択手段と、選択された外部機器から送信された画像データを受信する第２受信手段とを備える。【選択図】  図２
2012160020.tif 000002
【特許請求の範囲】
【請求項１】
外部機器から無線送信された接続要求を受信する第１受信手段と、
前記接続要求に対する許可応答を送信することにより、前記外部機器との通信接続を確立する接続手段と、
前記通信接続が確立された時間に応じた順番で前記外部機器を登録する登録手段と、
前記登録手段により登録された順番に応じて前記外部機器を選択する選択手段と、
選択された前記外部機器から送信された画像データを受信する第２受信手段と
を備える無線装置。
【請求項２】
受信された前記画像データを表示装置に出力する出力手段を更に備える、請求項１記載の無線装置。
【請求項３】
前記登録手段により登録された前記外部機器についての情報を示す画像データを表示装置に出力する出力手段を更に備える、請求項１記載の無線装置。
【請求項４】
前記外部機器から送信された画像出力要求を受信する第３受信手段を更に備え、
前記選択手段は、前記第３受信手段が１以上の前記画像出力要求を受信した場合に、当該１以上の画像出力要求の送信元の１以上の前記外部機器のうち、前記順番に応じて１の外部機器を選択する、請求項１記載の無線装置。
【請求項５】
前記第３受信手段が１以上の前記画像出力要求を受信した場合に、当該１以上の画像出力要求の送信元の１以上の前記外部機器のうち、選択された前記１の外部機器とは異なる外部機器に、当該外部機器の前記順番についての情報を送信する送信手段を更に備える、請求項１記載の無線装置。
【請求項６】
外部機器から無線送信された接続要求を受信する第１受信手段と、
前記接続要求に対する許可応答を送信することにより、前記外部機器との通信接続を確立する接続手段と、
前記通信接続が確立された時間に応じた順番で前記外部機器を登録する登録手段と、
前記登録手段により登録された順番に応じて前記外部機器を選択する選択手段と、
選択された前記外部機器から送信された画像データを受信する第２受信手段と、
受信された前記画像データを表示する表示手段と
を備える表示装置。
【請求項７】
無線装置における受信制御方法であって、
外部機器から無線送信された接続要求を受信することと、
前記接続要求に対する許可応答を送信することにより、前記外部機器との通信接続を確立することと、
前記通信接続が確立された時間に応じた順番で前記外部機器を登録することと、
前記登録手段により登録された順番に応じて前記外部機器を選択することと、
選択された前記外部機器から送信された画像データを受信することと
を備える受信制御方法。
【発明の詳細な説明】
【技術分野】
【０００１】
本発明の実施形態は、無線装置、表示装置及び受信制御方法に関する。
【背景技術】
【０００２】
ディスプレイ装置に接続された無線装置が、ＰＣ等の画像出力装置から無線送信された画像データを受信し、受信した画像データをディスプレイ装置が表示する技術がある。この技術では、画像出力装置は無線装置に対して画像出力要求を送信し、当該要求に対する許可応答を受けると、無線装置に対して１対１の無線通信により画像データを送信する。
【先行技術文献】
【特許文献】
【０００３】
【特許文献１】特開２００５−２６６７７７号公報
【発明の概要】
【発明が解決しようとする課題】
【０００４】
ここで、画像出力装置が無線装置に画像データを送信している場合に他の装置が無線装置に画像データを送信しようとすると、ユーザは、１台目の画像出力装置の画像データ送信の終了を確認した後に、画像出力要求を送信するための操作を行うこととなる。このため、画像出力装置の切り替えがユーザにとって煩雑となる恐れがある。
【０００５】
これに対し本発明の実施形態は、画像出力装置を簡便に切り替えることを可能とする無線装置、表示装置及び受信制御方法の提供を目的とする。
【課題を解決するための手段】
【０００６】
上記の課題を解決するために、本実施形態の無線装置は、外部機器から無線送信された接続要求を受信する第１受信手段と、接続要求に対する許可応答を送信することにより、外部機器との通信接続を確立する接続手段と、通信接続が確立された時間に応じた順番で外部機器を登録する登録手段と、登録手段により登録された順番に応じて外部機器を選択する選択手段と、選択された外部機器から送信された画像データを受信する第２受信手段とを備える。
【図面の簡単な説明】
【０００７】
【図１】実施形態の無線装置の利用形態例を示す図。
【図２】実施形態の表示装置、無線装置及びコンピュータのシステム構成例を示す図。
【図３】実施形態の無線装置が生成する順番待ちリストのデータ構成例を示す図。
【図４】実施形態の表示装置及びコンピュータが表示する画面例を示す図。
【図５】実施形態の無線装置及びコンピュータによる送受信処理に係るシーケンス例を示す図。
【図６】実施形態のコンピュータによる画像データ送信に係る処理フロー例を示す図。
【図７】実施形態の無線装置による画像データ受信に係る処理フロー例を示す図。
【発明を実施するための形態】
【０００８】
以下、図面を参照して実施形態を説明する。
図１は実施形態に係る無線システムの利用形態例を示す図である。実施形態の無線システムは、表示装置１００、無線装置２００、コンピュータ３００．コンピュータ４００、コンピュータ５００等を備える。そして表示装置１００と無線装置２００とは、例えばＨＤＭＩ等の有線／無線デジタルインタフェースにより接続されている。
【０００９】
表示装置１００は、表示部１０３を備え、無線装置２００から出力された画像（画像）データの画像（画像）を表示部１０３に表示する機能を有する。無線装置２００は、コンピュータ３００乃至５００から送信された接続要求に対して許可応答を送信することにより、これらの装置との無線通信を確立する。そして、無線通信が確立した装置から送信された画像出力要求に対して許可応答を送信することにより、当該装置からの画像データ送信を許可する。しかし無線装置２００は、複数の装置から画像出力要求を受けている場合は、複数装置のうち何れか１の装置に対して許可応答を送信する。つまり無線装置２００は、１の装置からの画像データを受信する。
【００１０】
またコンピュータ３００乃至５００は、無線装置２００に対して接続要求を送信し、当該要求に対する許可応答を受けると無線装置２００との接続を確立する。そしてコンピュータ３００乃至５００は、無線通信を確立した状態において画像出力要求を無線装置２００に送信し、当該要求に対する許可応答を受けると画像データを無線装置２００に送信する。
【００１１】
そして本実施形態に係る無線装置２００は、複数の装置から画像出力要求を受けている場合に、画像データの送信を許可する装置を簡便に切り替えることを可能とするものであるが、詳細は図２乃至６を参照して後述する。
【００１２】
図２は表示装置１００、無線装置２００及びコンピュータ３００の機能ブロック例を示す図である。なおコンピュータ４００及び５００の機能ブロックはコンピュータ３００と同様であり、ここでは説明を省略する。
【００１３】
表示装置１００は、入力部１０１、信号処理部１０２、表示部１０３等を備える。ここで入力部１０１は、当該入力部１０１に有線／無線により接続された装置から画像データ等を入力する。信号処理部１０２は、入力部１０１に入力された画像データを、ディスプレイ用の画像信号に変換する。そして表示部１０３は、当該画像信号を用いて画像を表示する。
【００１４】
無線装置２００は、無線通信部２０１、制御部２０２、格納部２０３、出力部２０４等を備える。無線通信部２０１は、コンピュータ３００に対して無線通信によりデータを送受信する。無線通信部２０１は、例えばコンピュータ３００から通信接続要求、通信切断要求、画像出力要求、画像データ等を受信し、受信したデータを制御部２０２に出力する。
【００１５】
制御部２０２は、無線装置２００の各構成を制御する。制御部２０２は、無線通信部２０１から接続要求が入力されると、接続要求を受けている装置の数が一定数以下であるか否かを判別する。なおここで一定数とは、例えば無線装置２００が同時に接続可能な装置数等である。ここで制御部２０２は、接続要求の数が一定数以下である場合、受信した接続要求に対する許可応答を送信することで、当該接続要求を送信した装置との無線接続を確立し、そして順番待ちリスト２０３１を生成する。順番待ちリスト２０３１とは、例えば接続要求を受けた装置の装置名や識別子を、無線接続が確立した時間順や接続要求を受けた順等の順で登録したリストである。なお順番待ちリスト２０３１については図３を参照して後述する。
【００１６】
そして制御部２０２は、当該順番待ちリスト２０３１を格納部２０３に出力して記憶させる。また制御部２０２は、順番待ちリスト２０３１に次の装置の装置名／識別子を追加する場合、格納部２０３から当該リストを読み出して更新する。なお制御部２０２は、接続要求を受けている装置の数が一定数よりも多い場合、無線通信部２０１から接続拒否応答を送信する。
【００１７】
また制御部２０２は、無線通信部２０１から切断要求が入力されると、当該切断要求を送信した装置を順番待ちリスト２０３１から削除して、順番待ちリスト２０３１における装置の順番を繰り上げ更新する。
【００１８】
また制御部２０２は、無線通信部２０１から画像出力要求を受けた場合、当該要求を送信した装置の順番待ちリスト２０３１における順番を判別する。そして制御部２０２は、当該装置が順番待ちリスト２０３１の先頭である場合は当該装置に画像出力許可を送信し、先頭でない場合には当該装置に対して順番待ちの順番についての情報を送信する。
【００１９】
また制御部２０２は、無線通信部２０１から画像データが入力されると、当該画像データを出力部２０４から出力させる。更に制御部２０２は、順番待ちリスト２０３１に応じた画像のデータを生成し、当該生成した画像データを出力部２０４から出力させる。ここで制御部２０２は、無線通信部２０１から画像データが入力されている場合は、当該画像データに生成した画像データを重畳して出力部２０４から出力させる。
【００２０】
コンピュータ３００は、操作受付部３０１、制御部３０２、信号処理部３０３、表示部３０４、無線通信部３０５を備える。操作受付部３０１は、ユーザからの操作入力を受け付ける。ここで操作受付部３０１は、例えば
【００２１】
制御部３０２は、コンピュータ３００の各構成を制御する。また制御部３０２は、操作受付部３０１から受けた操作入力に応じて各種のソフトウェアを実行し、当該ソフトウェアの実行状態に応じた画像を画像のデータを生成する。また制御部３０２は、無線通信部３０５から順番待ち情報が入力されると、当該順番待ち情報に応じた画像のデータを生成する。そして制御部３０２は、生成した画像データを信号処理部３０３に出力し、信号処理部３０３は当該画像データを画像信号に変換し、表示部３０４は当該画像信号に応じた画像を表示する。
【００２２】
また制御部３０２は、ユーザからの操作入力に応じて、無線通信部３０５から無線装置２００に対して通信接続要求、通信切断要求及び画像出力要求を送信する。制御部３０２は、通信接続要求、通信切断要求及び画像出力要求を送信する場合、当該要求に自装置の装置名や識別子を含めて送信できる。そして制御部３０２は、通信接続要求に対する接続許可応答を受けることにより、無線装置２００との無線通信を確立する。また制御部３０２は、画像出力要求に対する出力許可応答を受けた場合には無線装置２００に対して画像データを送信できる。
【００２３】
次に図３を参照して、無線装置２００が生成する順番待ちリスト２０３１のデータ構成例を説明する。順番待ちリスト２０３１では、装置名／識別子が、当該装置名の装置からの接続要求を無線装置２００が受信した時間の順で並べられる。無線装置２００は、当該リスト２０３１の先頭の装置に対して画像出力許可を送信する。また無線装置２００は当該リストに装置名／識別子が格納されている装置から通信切断要求を受けると、当該装置に対応する装置名／ＩＤをリストから削除して、リスト内での装置の順番を更新する。つまり例えばＰＣ１から通信切断要求を受けると、当該ＰＣ１をリストから削除して、ＰＣ２の順番を１に、ＰＣ３の順番を２に繰り上げる。なお順番待ちリスト２０３１において、夫々の装置名／識別子は、当該装置名／識別子の装置と無線装置２００との無線接続が確立した時間の順や、当該装置名／識別子の装置が送信した画像出力要求を無線装置が受信した時間の順で登録されてもよい。
【００２４】
次に図４を参照して、表示装置１００、コンピュータ３００乃至５００が表示する画面例を説明する。図４（Ａ）は表示装置１００が表示する画面例を示す図である。ここで、画面Ｐ１００には、コンピュータ３００乃至５００の何れかから送信された画像データの画像と共に、無線装置２００が生成した画像データの画像Ｐ１０１及びＰ１０２が表示される。画像Ｐ１０１は、現在無線装置２００が受信中の画像データを送信している装置の装置名／ＩＤを示す画像である。画像Ｐ１０２は、無線装置２００対して現在画像を送信している装置の次に画像を送信できる装置、即ち順番待ちリスト２０３１の２番目以降に並んでいる装置の装置名／ＩＤを示す画像である。
【００２５】
図４（Ｂ）は、コンピュータ３００乃至５００が表示する画面例を示す図である。ここで画面Ｐ２００は、コンピュータ３００乃至５００が無線装置２００に画像出力要求を送信した場合に、当該要求に対する許可応答を受信せず順番待ち情報を受信した場合に表示される画面例である。そして画面Ｐ２００には、画像Ｐ２０１、画像Ｐ２０２及び画像Ｐ２０３が表示される。画像Ｐ２０１は、現在無線装置２００と接続して順番待ちリスト２０３１に登録されている装置のうちの自装置の順番を示す画像である。そして画像Ｐ２０２及び画像Ｐ２０３は、無線装置２００と自装置との無線通信を継続するか切断するかをユーザに選択させるための画像である。
【００２６】
図５は、無線装置２００、コンピュータ３００、コンピュータ４００による画像送受信処理のシーケンス例を示す図である。
まずコンピュータ３００が通信接続要求を送信し（Ｓ５０１）、当該要求よりも後にコンピュータ４００が通信接続要求を送信する（Ｓ５０２）。そして無線装置２００は、夫々の装置に対して接続許可応答を送信し（Ｓ５０３）、受信した接続要求に含まれる装置名／識別子を順番待ちリスト２０３１に格納する（Ｓ５０４）。続いて無線装置２００は、コンピュータ３００及び４００から画像出力要求を受信すると（Ｓ５０５及びＳ５０６）、順番待ちリスト２０３１を参照して、当該リストの先頭の装置に対し、画像出力許可応答を送信する（Ｓ５０７）。一方、リストの先頭でない装置に対しては順番待ち情報を送信する（Ｓ５０８）。
【００２７】
そしてコンピュータ３００は、画像出力許可応答を受信すると、画像データを無線装置２００に送信し（Ｓ５０９）、無線装置２００は、受信した画像データを表示装置１００に出力する（Ｓ５１０）。そしてコンピュータ３００は、無線装置２００への画像データの送信を停止する操作入力を受けると、通信切断要求を送信する（Ｓ５１１）。無線装置２００は、当該切断要求を受信するとコンピュータ３００を順番待ちリスト２０３１から削除してリスト更新し、リストの先頭にある装置に対して画像出力許可を送信する（Ｓ５１３）。そしてコンピュータ４００は、当該出力許可を受信すると、画像データを無線装置２００に送信する（Ｓ５１４）。
【００２８】
次に図６を参照して、コンピュータ３００による画像送信処理フロー例を説明する。まずコンピュータ３００は、無線装置２００に通信接続要求を送信する（Ｓ６０１）。そして、当該要求に対する許可応答を受信すると（Ｓ６０２のＹｅｓ）、続いてコンピュータ３００は無線装置２００に画像出力要求を送信する（Ｓ６０３）。
【００２９】
ここで、画像出力許可を受信しない場合（Ｓ６０４のＮｏ）、即ち例えば順番待ち情報を受信した場合、コンピュータ３００は、例えば図４（Ｂ）に示したような画面を表示して、通信を切断するか否かをユーザに問い合わせる。そしてユーザからの通信切断操作を受け付けた場合（Ｓ６０５のＹｅｓ）、コンピュータ３００はＳ６０９の処理を実行する。一方ユーザから切断操作を受けない場合（Ｓ６０５のＮｏ）、コンピュータ３００は再度Ｓ６０４の処理を実行する。
【００３０】
そしてＳ６０４において画像出力許可を受信した場合（Ｓ６０４のＹｅｓ）、コンピュータ３００は無線装置２００に対する画像データの送信を開始する（Ｓ６０６）。ここでコンピュータ３００は、ユーザからの画像送信終了操作を受けると（Ｓ６０７のＹｅｓ）、画像データの送信を停止した後（Ｓ６０８）、通信切断要求を送信する（Ｓ６０９）。
【００３１】
なおコンピュータ３００は、Ｓ６０４に許可を受信した場合に、画像データを送信するか否かをユーザに選択させる選択画面や、画像データを送信する旨を通知する通知画面を表示してもよい。そしてこの場合にコンピュータ３００は、当該選択画面や通知画面を、例えば画像出力要求を送信してから画像出力許可を受信するまでの期間が一定時間以上である場合に表示しても良い。
【００３２】
次に図７を参照して、無線装置２００による画像データ受信に係る処理フロー例を説明する。まず無線装置２００は、コンピュータ３００等の装置から通信接続要求を受信すると（Ｓ７０１のＹｅｓ）、現在無線装置２００が無線接続している装置数が無線装置２００に設定されている接続可能台数よりも少ないか否かを判別し、少ない場合には接続許可応答を送信する（Ｓ７０２）。そして無線装置２００は、接続要求に含まれる装置名／識別子を順番待ちリスト２０３１に格納する（Ｓ７０３）。
【００３３】
次に無線装置２００は、画像出力要求を受信すると、当該要求を送信した装置が順番待ちリストの先頭の装置であるか否かを判別する（Ｓ７０５）。ここで画像出力要求を送信した装置が順番待ちリスト２０３１の先頭の装置でない場合（Ｓ７０５のＮｏ）、無線装置２００は当該装置に順番待ち情報を送信して（Ｓ７０６）、Ｓ７１０の処理を実行する。
【００３４】
一方、画像出力要求を送信した装置が順番待ちリストの先頭の装置である場合（Ｓ７０５のＹｅｓ）、無線装置２００は当該装置に画像出力許可を送信する（Ｓ７０７）。そして無線装置２００は、画像データを受信すると（Ｓ７０８のＹｅｓ）、当該画像データを表示装置１００に出力する（Ｓ７０９）。
【００３５】
ここで無線装置２００は、Ｓ７０８において受信した画像データの送信元の装置から通信切断要求を受けると（Ｓ７１０のＹｅｓ）、当該装置に対して切断応答を送信して当該装置との無線通信接続を切断する（Ｓ７１１）。続いて無線装置２００は、順番待ちリスト２０３１に順番待ちの装置が登録されているか否かを判別し（Ｓ７１２）、登録されている場合は（Ｓ７１２のＹｅｓ）、順番待ちの先頭の装置に画像出力許可を送信して（Ｓ７１３）、再度Ｓ７０８の処理を実行し、登録されていない場合（Ｓ７１２のＮｏ）、再度Ｓ７０１の処理を実行する。
【００３６】
本発明のいくつかの実施形態を説明したが、これらの実施形態は、例として提示したものであり、発明の範囲を限定することは意図していない。例えば、無線装置２００は表示装置１００の本体筐体内に内蔵されていてもよい。そしてこの場合に表示装置１００の入力部１０１と無線装置２００の出力部２０４とは、例えば内部バス等のインタフェースにより接続される。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１００…表示装置、１０１…入力部、１０２…信号処理部、１０３…表示部、２００…無線装置、２０１…無線通信部、２０２…制御部、２０３…格納部、２０４…出力部、３００…コンピュータ、３０１…操作受付部、３０２…制御部、３０３…信号処理部、３０４…表示部、３０５…無線通信部
【図１】
2012160020.tif 000003
【図２】
2012160020.tif 000004
【図３】
2012160020.tif 000005
【図４】
2012160020.tif 000006
【図５】
2012160020.tif 000007
【図６】
2012160020.tif 000008
【図７】
2012160020.tif 000009
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
複数の外部機器それぞれから無線送信された複数の接続要求を受信する第１受信手段と、
前記接続要求に応答して、前記外部機器に許可応答を送信することにより、前記外部機器と複数の通信接続を確立する接続手段と、
前記複数の通信接続の確立の順序に対応する時系列で前記外部機器を登録する登録手段と、
前記登録手段により登録された時系列に応じて前記外部機器を選択する選択手段と、
選択された前記外部機器から送信された画像データを受信する第２受信手段と
を備える無線装置。
【請求項２】
受信された前記画像データを表示装置に出力する出力手段を更に備える、請求項１記載の無線装置。
【請求項３】
前記登録手段により登録された前記外部機器に関連する情報を表示装置に出力する出力手段を更に備える、請求項１記載の無線装置。
【請求項４】
前記外部機器それぞれから送信された複数の画像出力要求を受信する第３受信手段を更に備え、
前記選択手段は、前記画像出力要求の時系列に応じて前記複数の外部機器から１の外部機器を選択する、
請求項１記載の無線装置。
【請求項５】
前記選択された外部機器以外の１以上の外部機器に、前記画像出力要求の送信元の外部機器のそれぞれの、前記時系列での順序に関する情報を送信する送信手段
を更に備える、請求項４に記載の無線装置。
を更に備える、請求項４記載の無線装置。
【請求項６】
複数の外部機器それぞれから無線送信された複数の接続要求を受信する第１受信手段と、
前記接続要求に応答して、前記外部機器に許可応答を送信することにより、前記外部機器と複数の通信接続を確立する接続手段と、
前記複数の通信接続の確立の順序に対応する時系列で前記外部機器を登録する登録手段と、
前記登録手段により登録された時系列に応じて前記外部機器を選択する選択手段と、
選択された前記外部機器から送信された画像データを受信する第２受信手段と、
受信された前記画像データを表示する表示手段と
を備える表示装置。
【請求項７】
無線装置における受信制御方法であって、
複数の外部機器それぞれから無線送信された複数の接続要求を受信することと、
前記接続要求に応答して前記外部機器に許可応答を送信することにより、前記外部機器と複数の通信接続を確立することと、
前記複数の通信接続の確立の順序に対応する時系列で前記外部機器を登録することと、
前記登録手段により登録された時系列に応じて前記外部機器を選択することと、
選択された前記外部機器から送信された画像データを受信することと
を備える受信制御方法。